(57)【特許請求の範囲】
【請求項１】
加工部材を支持するベースと、
該ベース上に支持され該ベースに対して回動可能なターンテーブルと、
該ターンテーブルに設けられ該ターンテーブルの上方で切断刃を揺動可能に支持する切断部と、を備え、
該ターンテーブルは該切断刃が揺動して交わる箇所となるターンテーブル本体と該切断刃と該ターンテーブル本体とが交わる交線の延長線上にあって該ターンテーブル本体外周から該交線の延長線方向に突出する突出部とを有し、
該突出部には該ターンテーブルを該ベースに対して回動不能に固定可能な固定機構が設けられ、
該固定機構は、該突出部の延出方向を軸方向とし該ベースと当接可能な軸部と、該軸部と係合可能に該突出部先端に設けられて該軸部を該ベースに当接させる把持部とを含んで構成され、
該突出部の先端位置には該把持部を該把持部の軸方向周りに回転可能に支持する保持部が設けられ、
該保持部は、該突出部の突出方向と該突出部の突出方向に直交する方向との間で回動可能であり、
該把持部は該保持部が該突出部の突出方向にある時に該突出部先端位置から該突出部突出方向に延出されたターンテーブル回動操作位置にあり、該保持部が該突出部の突出方向と直交する方向にある時に該突出部先端位置よりも該ターンテーブル側のターンテーブル非回動操作位置にあり、該ターンテーブル回動操作位置と該ターンテーブル非回動操作位置との間で移動可能であることを特徴とする卓上切断機。
【請求項２】
該突出部は、該固定機構を該突出部の突出方向に往復移動可能に支持する支持部を備え、
該固定機構は該突出部の突出方向に移動した場合に該支持部と当接する当接部を備えていることを特徴とする請求項１に記載の卓上切断機。
【請求項３】
突出部は、該把持部が少なくとも該ターンテーブル非回動操作位置にある時に、該把持部の該ターンテーブル非回動操作位置以外の位置への移動を抑制する把持部移動抑制機構を備えていることを特徴とする請求項１または請求項２のいずれかに記載の卓上切断機。
【請求項４】
該ベースの該ターンテーブルの回動軸を中心とする円弧位置に複数設けられた係止部と、
該突出部に設けられて該係止部と係合可能であると共に該係止部に対する係合・離脱を選択的に操作可能な規制操作部と、を備えることを特徴とする請求項１乃至請求項３のいずれか一に記載の卓上切断機。
【発明の詳細な説明】
【技術分野】
【０００１】
本発明は卓上切断機に関し、特にターンテーブルを備えた卓上切断機に関する。
【背景技術】
【０００２】
従来の卓上切断機においては、ベース上に載置された被加工部材である木材等を任意の角度で切断するために、切断刃が保持される切断部をベースに対して回動可能なターンテーブルを設けている。
【０００３】
このターンテーブルを回動させるべく、卓上切断機の前側（作業者側）位置には、ターンテーブルより突出する突出部が設けられ、この突出部にターンテーブル回動操作用のハンドルが設けられている（特許文献１参照）。
【特許文献１】特願２００４−０９２７３７号公報
【０００４】
この卓上切断機は、一般に各所の作業現場に持ち運んで木材等を加工することが多いため、持ち運びが楽なように小型化が推し進められている。
【発明の開示】
【発明が解決しようとする課題】
【０００５】
しかし、従来の卓上切断機では、ハンドルが卓上切断機の前方から突出する構造を採っているために、移動時にハンドルが邪魔となって持ち運び難い場合があった。また卓上切断機を収納する際や梱包する際に、例えば段ボール箱等に詰める場合では、ハンドルが突出しているために、垂直投射面積が大きくなり、これに応じて不要に大きな包用の箱が必要となっていた。
【０００６】
そこで、本発明は小型化可能であり、かつ運搬を容易とした卓上切断機を提供することを目的とする。
【課題を解決するための手段】
【０００７】
上記課題を解決するために本発明は、加工部材を支持するベースと、該ベース上に支持され該ベースに対して回動可能なターンテーブルと、該ターンテーブルに設けられ該ターンテーブルの上方で切断刃を揺動可能に支持する切断部と、を備え、該ターンテーブルは該切断刃が揺動して交わる箇所となるターンテーブル本体と該切断刃と該ターンテーブル本体とが交わる交線の延長線上にあって該ターンテーブル本体外周から該交線の延長線方向に突出する突出部とを有し、該突出部には該ターンテーブルを該ベースに対して回動不能に固定可能な固定機構が設けられ、該固定機構は、該突出部の延出方向を軸方向とし該ベースと当接可能な軸部と、該軸部と係合可能に該突出部先端に設けられて該軸部を該ベースに当接させる把持部とを含んで構成され、該突出部の先端位置には該把持部を該把持部の軸方向周りに回転可能に支持する保持部が設けられ、該保持部は、該突出部の突出方向と該突出部の突出方向に直交する方向との間で回動可能であり、該把持部は該保持部が該突出部の突出方向にある時に該突出部先端位置から該突出部突出方向に延出されたターンテーブル回動操作位置にあり、該保持部が該突出部の突出方向と直交する方向にある時に該突出部先端位置よりも該ターンテーブル側のターンテーブル非回動操作位置にあり、該ターンテーブル回動操作位置と該ターンテーブル非回動操作位置との間で移動可能である卓上切断機を提供する。
【０００８】
上記構成の卓上切断機において、該突出部は、該固定機構を該突出部の突出方向に往復移動可能に支持する支持部を備え、該固定機構は該突出部の突出方向に移動した場合に該支持部と当接する当接部を備えていることが好ましい。
【０００９】
突出部は、該把持部が少なくとも該ターンテーブル非回動操作位置にある時に、該把持部の該ターンテーブル非回動操作位置以外の位置への移動を抑制する把持部移動抑制機構を備えていることを特徴とする請求項１または請求項２のいずれかに記載の卓上切断機。
【００１２】
また該ベースの該ターンテーブルの回動軸を中心とする円弧位置に複数設けられた係止部と、該突出部に設けられて該係止部と係合可能であると共に該係止部に対する係合・離脱を選択的に操作可能な規制操作部と、を備えることが好ましい。
【発明の効果】
【００１３】
請求項１記載の卓上切断機によれば、突出部において把持部が回動可能な構成となり、突出部に固定機構が設けられた構成において突出部より突出する固定機構の突出量を変化することができるため、卓上切断機の鉛直投影面積を小さくすることができる。従って、卓上切断機を梱包する際にもその梱包後の大きさを小さくすることができ、輸送時の利便性を向上させることができる。また突出量を小さくすることにより、出っ張り部分が小さくなる。従って卓上切断機を移動する際にも邪魔にならず、好適に移動することができる。
【００１４】
請求項２に記載の卓上切断機によれば、固定機構が突出部の突出方向に移動した場合に、その固定機構の一部である当接部が支持部と当接することにより、固定機構の突出方向への移動が抑制される。よって固定機構が突出方向に移動して支持部より脱落することが防止される。
【００１５】
請求項３に記載の卓上切断機によれば、把持部が少なくともターンテーブル非回動操作位置にある時に、把持部が他の位置に移動することが抑制される。よって把持部をターンテーブル非回動操作位置に配置した状態で卓上切断機を輸送するときに、把持部がターンテーブル回動操作位置に移動することを抑制することができ、運搬性を向上させることができる。
【００１６】
また該先端部と該基部とに関連して、該先端部が支持位置及び非支持位置にある状態で該基部に対する該先端部の位置を固定する固定機構部が設けられていても良い。
【００１７】
請求項４記載の卓上切断機によれば、予め定めた任意の角度毎に係止部を形成しておくことにより、ターンテーブルの回動角度を容易に設定することができる。またターンテーブルの回動角度の設定と同時にターンテーブルを回動不能にすることができるので、作業性を向上させることができる。
【発明を実施するための最良の形態】
【００１８】
本発明の第一の実施の形態について、図１乃至図８に基づき説明する。図１に示される卓上切断機である卓上丸鋸１は、スライド機構を備えた卓上丸鋸であり、ベース部２と、切断部３とから主に構成されている。
【００１９】
ベース部２は、被切断部材である木材Ｗを担持するベース２１と、ベース２１上に回動可能に担持されたターンテーブル２２と、ベース２１に設けられたフェンス２３とから主に構成されている。ベース２１は、図２及び図３に示されるように、一対の左ベース２１Ａと右ベース２１Ｂとから構成されている。これら左ベース２１Ａと右ベース２１Ｂとが並んでいる方向を左右方向と定義し、ベース２１の木材Ｗ（図１）を載置する面の上方を上方、反対を下方と定義する。また図６に示されるように、ベース２１（図１）においては、ターンテーブル２２により覆われる箇所に、ターンテーブル２２の回動中心となる中心軸２２Ｃを中心とする円弧状に構成された規制部材２１Ｃが設けられている。規制部材２１Ｃには、係合部分となる凹部２１ｂが規制部材２１Ｃの円周方向に区分する所定の角度毎に規定された係止部が複数形成されており、周面部分には後述の第一部材７１先端と当接する当接面２１Ｄが規定されている。
【００２０】
図２及び図３に示されるように、ターンテーブル２２は、右ベース２１Ｂと左ベース２１Ａとの間に配置されている。図１に示されるように、ターンテーブル２２は、略円台状のターンテーブル本体部２２Ａとターンテーブル本体部２２Ａの一方側に突出する突出部２４と他方側に設けられた後述の支持部４を支持する切断部支持部２７とから構成されている。この突出部２４がターンテーブルより突出している方向であって左右方向（図３）と直交する方向を前方、反対を後方と定義する。
【００２１】
図３に示されるように、ターンテーブル２２の上面には、切断部支持部２７近傍位置から突出部２４にかけて一連の溝部２２ａが形成されている。この溝部２２ａは、後述の丸鋸刃６が下方に揺動してターンテーブル２２と交わった際の交線位置と同一位置にあり丸鋸刃６の刃先を収容する箇所となる。
【００２２】
図１に示されるように、突出部２４は、ターンテーブル本体部２２Ａから突出して一体に構成されている。図１及び図５に示されるように、突出部２４の下方側位置にはターンテーブル２２のベース２１に対する回動を規制する際の操作部となる規制操作部２８が設けられている。
【００２３】
また図５及び図６に示されるように、突出部２４の下面位置であって基端位置から先端位置に向かって、後述の第一部材７１を支持する第一支持部２４Ｂと第二支持部２４Ｃとがそれぞれ設けられている。第一支持部２４Ｂ及び第二支持部２４Ｃには、それぞれ突出部２４の突出方向と平行かつ同軸上に位置する貫通孔が形成されている。また第二支持部２４Ｃに形成された貫通孔の突出方向先端側に位置する端部には、後述の第二部材７２の先端を挿入可能な、開口部２４ｃが形成されている。
【００２４】
図６に示されるように、突出部２４の先端位置には、中心軸２２Ｃと平行に延びるボルト２５Ａが設けられており、ボルト２５Ａにより後述の第二部材７２を保持する保持部２５が連結されている。故に保持部２５は、このボルト２５Ａを回転軸として突出部２４の先端位置に回動可能に配置されている。
【００２５】
保持部２５には、ボルト２５Ａの軸方向と直交する方向に穿設された貫通孔が形成されており、この貫通孔内には雌ネジが形成されている。また保持部２５は、保持部２５がボルト２５Ａを軸として回動し、保持部２５に形成された貫通孔の軸方向が突出部２４の突出方向と同じ方向になったときに、保持部２５に形成された貫通孔と第一支持部２４Ｂ及び第二支持部２４Ｃに形成された貫通孔とが同軸上となるように構成されている。尚、保持部２５に形成された貫通孔と第一支持部２４Ｂ及び第二支持部２４Ｃに形成された貫通孔とが同軸となる保持部２５の位置をターンテーブル回動操作位置と定義し、保持部２５の貫通孔の軸方向と突出部２４の突出方向とが略直交する保持部２５の位置をターンテーブル非回動操作位置と定義する。
【００２６】
またボルト２５Ａと突出部２４との間には把持部移動抑制機構であるサラバネ２５Ｂが設けられており、サラバネ２５Ｂによりボルト２５Ａが上方に付勢されている。よってサラバネ２５Ｂの付勢力により、先端部２４とボルト２５Ａ及び保持部２５の各々当接しているところが互いに押圧される状態になり、摩擦が発生している。この摩擦力により保持部２５の回動が規制されるが、このサラバネ２５Ｂによる付勢力は過度に大きくないため、その摩擦力も過度に大きくなることはない。故に使用者が保持部２５をターンテーブル非回動操作位置とターンテーブル回動操作位置との間で回動させることは容易であるが、卓上丸鋸１を輸送する程度の振動等で保持部２５が自ら回動することは抑制されている。
【００２７】
図５に示されるように、規制操作部２８は、規制レバー２８Ａと軸部２８Ｂと、後述の係止部２９に規制レバー２８Ａでの動作を伝達する伝達部２８Ｃとから構成されている。軸部２８Ｂは、突出部２４にその軸が突出部２４の延出方向と略直交して左右方向に延びるように設けられ、規制レバー２８Ａを回動可能に支持している。規制レバー２８Ａは、第一腕部２８Ｄと図示せぬ第二腕部とからＬ字状に構成され、第一腕部２８Ｄと図示せぬ第二腕部との結合位置で軸部２８Ｂに軸支されている。第一腕部２８Ｄは、突出部２４の下方に延出されており、作業者により回動操作可能となっている。図示せぬ第二腕部の端部には、伝達部２８Ｃの一端が当接しており、第一腕部２８Ｄが回動操作されることにより、伝達部２８Ｃを付勢可能となっている。伝達部２８Ｃは、突出部２４に突出部２４延出方向に移動可能に保持されて、図示せぬ第二腕部による動作をその他端側で係止部２９に伝達可能となっている。
【００２８】
図５に示されるように、ターンテーブル２２には、その内部であって、中心軸２２Ｃ周辺位置に係止部２９が固定されている。係止部２９は、フレーム２９Ａとスライド部２９Ｂとバネ２９Ｃとから主に構成されている。スライド部２９Ｂとバネ２９Ｃとは、フレーム２９Ａ内に収納されており、バネ２９Ｃの付勢力によりスライド部２９Ｂはその軸方向に摺動可能となっている。スライド部２９Ｂは、略凸状に形成されている凸部２９Ｄと伝達部２８Ｃと係合する当接部２９Ｅと有している。スライド部２９Ｂは当接部２９Ｅが伝達部２８Ｃにより付勢されることによって摺動することから、凸部２９Ｄは、凹部２１ｂと係合・離脱可能となっている。よって凸部２９Ｄが凹部２１ｂと係合している状態では、ターンテーブル２２とベース２１とは互いに回動不能となる。
【００２９】
図５及び図６に示されるように突出部２４には、固定機構を構成する第一部材７１と第二部材７２とがそれぞれ設けられている。第一部材７１は、第一支持部２４Ｂ、第二支持部２４Ｃに形成された貫通孔に挿通されて、軸周りに回転、軸方向に摺動可能に支持されており、ターンテーブル２２中心方向に位置する先端が当接面２１Ｄと対向するように配置されている。また第一部材７１において、第一支持部２４Ｂと当接面２１Ｄとの間であって第二支持部２４Ｃ近傍位置に、フランジ状の第一当接部７１Ａが設けられている。よって第一部材７１が突出部２４の突出方向に移動した場合には、第一当接部７１Ａが第一支持部２４Ｂと当接して、第一部材７１の第一支持部２４Ｂからの抜けを防止する。
【００３０】
第二部材７２は、ネジ棒状の軸部にハンドル２４Ａが設けられて構成されており、その軸部が保持部２５の貫通孔に螺合して保持部２５に支持されている。また第二部材７２の軸部先端は、第一部材７１の端部と当接可能となっている。
【００３１】
図１に示されるように、切断部支持部２７は、ターンテーブル２２の中心軸２２Ｃに対して突出部２４の反対位置に配置されている。切断部支持部２７には、溝部２２ａ（図３）の延長線上に位置する傾動軸２７Ａと、切断部３が任意の傾斜角度で固定される傾動支持部２７Ｂとを有している。
【００３２】
図１に示されるように、ベース２１上であって、ターンテーブル２２の上方位置には、フェンス２３が設けられている。フェンス２３は、図２及び図３に示されるように、左ベース２１Ａ及び右ベース２１Ｂに対応して左フェンス２３Ａ及び右フェンス２３Ｂから構成されており、左フェンス２３Ａ及び右フェンス２３Ｂの前面は、同一平面状に位置するように配置されて、木材Ｗ（図１）の位置を規定している。
【００３３】
図１に示されるように、切断部３は、支持部４と切断本体部５とから主に構成されている。支持部４は、揺動支持部４１と、スライド支持部４２と、一対のスライドバー４３と、スライド部４４とから主に構成されている。スライド支持部４２は、傾動軸２７Ａによりターンテーブル２２に対して略左右方向に傾動可能に軸支されている。スライド支持部４２の後端部位置には、傾動支持部２７Ｂと協働して切断部３のターンテーブル２２及びベース２１に対する傾動角度を規定する傾動固定部４２Ａが設けられている。
【００３４】
一対のスライドバー４３は、スライド支持部４２の上方に上下方向に並んでその軸方向が溝部２２ａ（図３）と略平行になるように前側に延出されて設けられている。スライド部４４は、スライドバー４３に摺動可能に設けられている。スライド部４４の側面部分には、ネジ４４Ａが設けられており、スライド部４４をスライドバー４３の任意の位置で固定可能となっている。
【００３５】
スライド部４４には揺動支持部４１が一体に設けられている。揺動支持部４１は上部に左右方向に並ぶ一対の腕部が形成されており、この一対の腕部に跨って切断本体部５を軸支する揺動軸４１Ａが設けられている。揺動軸４１Ａの周囲には、切断本体部５を揺動支持部４１に対して上方に付勢するバネ４１Ｂが設けられている。また揺動支持部４１の前面位置には、木材Ｗ上に切断位置を示唆するレーザ光を発振するレーザ発振器４５が設けられている。
【００３６】
図１に示されるように、切断本体部５は、ハウジング５１と、モータ５２と、ハンドル５３と移動用ハンドル５４と鋸刃カバー５５とを備え、切断刃である丸鋸刃６を回転可能に支持している。ハウジング５１は、その下端で揺動軸４１Ａに軸支され、バネ４１Ｂで上方に付勢されている。モータ５２は丸鋸刃６を駆動し、ハウジング５１内に配置されている。ハンドル５３はハウジング５１の上部に設けられて、切断本体部５を揺動する際の把握箇所となる。またハンドル５３にはモータ５２の回転制御を行うスイッチ５３Ａが設けられている。移動用ハンドル５４はモータ５２斤棒位置に設けられて、切断本体部５を図示せぬピンで最下方に揺動させた状態で、卓上丸鋸１を移動する際に把握する箇所となる。鋸刃カバー５５はハウジング５１と一体に設けられており、その内部に丸鋸刃６を備えて保護している。
【００３７】
上記構成の卓上丸鋸１で木材Ｗを切断する際には、先ず保持部２５をターンテーブル回動操作位置に配し、ハンドル２４Ａを回転させて第二部材７２を螺進させ、その先端を開口部２４ｃ内に挿入する。そして図１または図４に示されるように、木材Ｗをベース２１上に載置して、ハンドル２４Ａを把持してターンテーブル２２の回動角度を調整する。この時に保持部２５は、螺合している第二部材７２の先端が開口部２４ｃ内に挿入されているため、ボルト２５Ａ周りの回動が抑制されている。
【００３８】
ターンテーブル２２の回動角度を調整する際に、ハンドル２４Ａを第二部材７２の先端が第一部材７１に当接しない程度に緩めておくと共に、規制レバー２８Ａを上方へ押し上げて凹部２１ｂと凸部２９Ｄとの係合を解除する。これによりターンテーブル２２とベース２１との間に回動を抑制する部材が無くなるため、ターンテーブル２２の回動角度を任意の角度に調整することができる。
【００３９】
凸部２９Ｄの凹部２１ｂへの係合により決定される所定の角度、若しくは凸部２９Ｄと凹部２１ｂとが非係合となる状態での角度に設定した後に、ハンドル２４Ａを回転させて第二部材７２を更に螺進させ、第一部材７１をターンテーブル２２の中心方向に付勢する。これにより、第一部材７１と当接面２１Ｄとの間に摩擦が発生して規制部材２１Ｃに対して第一部材７１が規制部材２１Ｃの周周りに回動不能となり、結果としてターンテーブル２２がベース２１に対して回動不能に固定される。
【００４０】
ターンテーブル２２がベース２１に対して固定された後に木材Ｗの切断を行う。木材Ｗの前後方向における幅が小さい場合には、図１に示されるように、スライド部４４を最も後に下げた状態で、切断本体部５を下方に揺動して切断を行う。
【００４１】
また図４に示されるように、木材Ｗの前後方向における幅が小さい場合には、切断本体部５を最も前方まで摺動させた状態で下方に揺動した後に、スイッチ５３ＡをＯＮにして丸鋸刃６を回転させた状態で切断本体部５を後方に移動させる。
【００４２】
切断が終了した後に、卓上丸鋸１を収容、移動する場合には、切断本体部５を最も後に摺動する。これと前後してハンドル２４Ａを回転して第二部材７２を保持部２５に対して螺退させ、第一部材７１から離間させると共に、開口部２４ｃ外位置まで移動させる。これにより保持部２５はボルト２５Ａの軸周りに回動可能となるので、図七に示されるように、ターンテーブル非回動操作位置まで回動させ、更にターンテーブル２２を最も右側の位置まで回動させる。これにより卓上丸鋸１の鉛直投影面積を小さくすることができる。従って、卓上切断機を梱包する際にもその梱包後の大きさを小さくすることができ、輸送時の利便性を向上させることができる。
【００４３】
またハンドル２４Ａが回動することにより、突出部２４の突出量を小さくなるため、出っ張り部分が小さくなる。従って卓上丸鋸１を移動する際にも邪魔にならず、好適に運搬することができる。保持部２５は、その回動がサラバネ２５Ｂにより抑制されているため、移動時においてハンドル２４Ａがターンテーブル非回動操作位置からずれることが無く、好適に卓上丸鋸１を梱包し、かつ運搬することができる。
【００４４】
また突出部２４については、保持部２５を少なくとも非ターンテーブル回動操作位置まで回動させることによりその突出量を小さくすることができる。しかしターンテーブル２２を右方向に回動させて運搬・収容することを考慮すると、図８に示されるように、非ターンテーブル回動操作位置から更にターンテーブル本体部２２Ａに近づく位置まで保持部２５を回動させても良い。この状態までハンドル２４Ａを回動させた場合であっても、サラバネ２５Ｂによる回動を抑制する効果が働いているため、ハンドル２４Ａがターンテーブル非回動操作位置に位置している場合と同様にその回動が抑制され、現在位置からずれることが抑制される。
【００４５】
次に本発明の第二の実施の形態として図９乃至図１１に基づき説明する。第一の実施の形態では、保持部を回動させることにより突出量を変化させたが、第二の実施の形態では、保持部を突出部の反突出方向に移動させるより、ターンテーブルからの突出部の突出量を変化させる。第二の実施の形態に係る卓上切断機である卓上丸鋸１０１では、突出部１２４に係る構成以外は第一の実施の形態に係る卓上丸鋸１の構成と同一であるため、その説明を省略する。また同一構成の部分では、第一の実施の形態に係る符号に１００を足してその説明を省略する。
【００４６】
図９に示されるように突出部１２４は、ターンテーブル本体部１２２Ａから延出されて構成されており、突出部１２４には、基端位置かつ下面位置から後端側に向かって、第一支持部１２４Ｂと第二支持部１２４Ｃとが設けられており、それぞれ同軸上に位置する貫通孔が形成されている。また第一支持部１２４Ｂに形成された貫通孔内には雌ネジが形成されている。
【００４７】
第一支持部１２４Ｂと第二支持部１２４Ｃとには、それぞれの貫通孔内に挿通されて第一部材１７１が支持されている。第一部材１７１はその先端部分が支持部１２１Ｃの当接面１２１Ｄと当接可能な位置にあり、その先端部分近傍位置に、第一支持部１２４Ｂに形成されたネジ穴と螺合可能なネジ部１７１Ａが設けられている。また第一部材１７１の後端側には第一部材１７１の軸方向と直交するピン１７１Ｂが設けられており、このピン１７１Ｂが設けられている端部を覆うように、第一部材１７１に対して軸方向に摺動可能なハンドル１２４Ａが設けられている。
【００４８】
ハンドル１２４Ａは、図１０に示されるように、内部が中空の筒状に構成されており、その内部空間内に第一部材１７１の端部が挿入されている。またハンドル１２４Ａにおいて、第一部材１７１の端部が挿入される部分の内壁には、ピン１７１Ｂを挿入し軸方向に摺動可能な溝１２４ａが形成されている。従って第一部材１７１がハンドル１２４Ａ内部に挿入された状態で、ハンドル１２４Ａは第一部材１７１に対して軸方向に摺動可能となる。しかしピン１７１Ｂが溝１２４ａに挿入されることにより、ハンドル１２４Ａは第一部材１７１の軸周りに回転不能であり、故にハンドル１２４Ａを軸周りに回転させることにより、第一部材１７１を軸周りに回転させることができる。このハンドル１２４Ａが第一部材１７１から最も延出されている位置をターンテーブル回動操作位置と定義し、ハンドル１２４Ａが最も第一部材１７１に近接している位置をターンテーブル非回動操作位置と定義する。
【００４９】
また図１１に示されるように、ハンドル部１２４Ａ内の空間には把持部移動抑制機構であるゴムリング１２４Ｄが設けられており、このゴムリング１２４Ｄ内に第一部材１７１が貫通している。ゴムリング１２４Ｄはその内径が第一部材１７１の軸径より小さく構成されているため、ゴムリング１２４Ｄ内に第一部材１７１が装着されることにより、ゴムリング１２４Ｄと第一部材１７１との間に摩擦が発生し、第一部材１７１に対するハンドル１２４Ａの軸方向の動きを抑制する。しかしゴムリング１２４Ｄと第一部材１７１との間に働く摩擦力は、過度に大きくないため、使用者がゴムリング１２４Ｄと共にハンドル１２４Ａをターンテーブル非回動操作位置とターンテーブル回動操作位置との間で移動させることは容易であるが、卓上丸鋸１０１を輸送する程度の振動等でハンドル１２４Ａが自ら軸方向へ移動することは抑制されている。
【００５０】
卓上丸鋸１０１で切断作業をする場合には、図１０に示されるように、ハンドル１２４Ａを第一部材１７１から延出してターンテーブル回動操作位置に移動し、ハンドル１２４Ａを回転する。これにより、ネジ部１７１Ａが第一支持部１２４Ｂのネジ穴と螺合して第一部材１７１が螺進する。これにより第一部材１７１の先端がベース１２１の当接面１２１Ｄに当接し、第一の実施の形態と同様に、ターンテーブル１２２とベース１２１とを固定する。尚、ハンドル１２４Ａをターンテーブル回動操作位置に移動した際においても、ゴムリング１２４Ｄと第一部材１７１との間に摩擦が生じているため、ハンドル１２４Ａがターンテーブル回動操作位置からずれることが抑制され、好適にハンドル１２４Ａを回動することができる。
【００５１】
卓上丸鋸１０１を収容、移動する場合には、図１１に示されるように、ハンドル１２４Ａをターンテーブル１２２側に押し込みターンテーブル非回動操作位置に移動させる。これにより、ハンドル１２４Ａの端部が突出部１２４の端部より内方に位置することになり、突出部の突出量を低減することができる。またハンドル１２４Ａは、その軸方向への移動がゴムリング１２４Ｄにより抑制されているため、移動時においてハンドル１２４Ａがターンテーブル非回動操作位置からずれることが無く、好適に卓上丸鋸１０１を梱包し、かつ運搬することができる。
【００５２】
またハンドル１２４Ａをターンテーブル非回動操作位置に移動させるに際し、第一部材１７１を緩めて第一の実施の形態に係る図８と同様にターンテーブル１２２を右方向若しくは左方向に回動させた状態で、ハンドル１２４Ａをターンテーブル非回動操作位置に移動させても良い。この時にハンドル１２４Ａを回転させてベース１２１とターンテーブル１２２とを固定した状態で、ハンドル１２４Ａをターンテーブル非回動操作位置に移動させても良い。
【００５３】
本発明の卓上切断機は、上記した実施の形態に限定されず、特許請求の範囲に記載した範囲内において種々の変形や改良が可能である。例えば第一及び第二の実施の形態においては、切断本体部が前後にスライドする卓上切断機について説明したが、これに限らず、スライドしない卓上切断機についても同様に突出部を備える卓上切断機であれば、本発明を適応することができる。また第一及び第二の実施の形態では、スライド支持部にスライドバーが設けられてスライドバー上を揺動支持部がスライドする形態をとったが、これに限らず、揺動支持部側にスライドバーが設けられて、スライドバーとスライド支持部との間の摺動により揺動支持部が前後にスライドする構成をとっても良い。
【００５４】
また第一及び第二の実施の形態においては、把持部移動抑制機構により、ターンテーブル非回動操作位置及びターンテーブル回動操作位置の何れにおいても把持部であるハンドルの移動が抑制されているが、これに限らず少なくともターンテーブル非回動操作位置においてハンドルの他の部分への移動が抑制されているならば、卓上切断機の運搬性を向上させることができる。
【図面の簡単な説明】
【００５５】
【図１】本発明の第一の実施の形態に係る卓上切断機の側面図。
【図２】本発明の第一の実施の形態に係る卓上切断機の正面図。
【図３】本発明の第一の実施の形態に係る卓上切断機の平面図。
【図４】本発明の第一の実施の形態に係る卓上切断機のスライドした状態の側面図。
【図５】本発明の第一の実施の形態に係る卓上切断機のターンテーブルに係る底面図。
【図６】図５のVI−VI線に沿った断面図。
【図７】本発明の第一の実施の形態に係る卓上切断機の突出部先端部分における底面図。
【図８】本発明の第一の実施の形態に係る卓上切断機を移動・収容する状態での正面図。
【図９】本発明の第二の実施の形態に係る卓上切断機のターンテーブルに係る底面図。
【図１０】図９のX−X線に沿った断面図。
【図１１】本発明の第二の実施の形態に係る卓上切断機の突出部に係る側面図（ターンテーブル非回動操作位置）。
【符号の説明】
【００５６】
１・・卓上丸鋸  ２・・ベース部  ３・・切断部  ４・・支持部  ５・・切断本体部
６・・丸鋸刃  ２１・・ベース  ２１Ａ・・左ベース  ２１Ｂ・・右ベース
２１Ｃ・・規制部材  ２１Ｄ・・当接面  ２１ｂ・・凹部  ２２・・ターンテーブル
２２Ａ・・ターンテーブル本体部  ２２Ｃ・・中心軸  ２２ａ・・溝部
２３・・フェンス  ２３Ａ・・左フェンス  ２３Ｂ・・右フェンス  ２４・・突出部
２４Ａ・・ハンドル  ２４Ｂ・・第一支持部  ２４Ｃ・・第二支持部  ２４ｃ・・開口部
２５・・保持部  ２５Ａ・・ボルト  ２７・・切断部支持部  ２７Ａ・・傾動軸
２７Ｂ・・傾動支持部  ２８・・規制操作部  ２８Ａ・・規制レバー  ２８Ｂ・・軸部
２８Ｃ・・伝達部  ２８Ｄ・・第一腕部  ２９・・係止部  ２９Ａ・・フレーム
２９Ｂ・・スライド部  ２９Ｃ・・バネ  ２９Ｄ・・凸部  ２９Ｅ・・当接部
４１・・揺動支持部  ４１Ａ・・揺動軸  ４１Ｂ・・バネ  ４２・・スライド支持部
４２Ａ・・傾動固定部  ４３・・スライドバー  ４４・・スライド部  ４４Ａ・・ネジ
４５・・レーザ発振器  ５１・・ハウジング  ５２・・モータ  ５３・・ハンドル
５３Ａ・・スイッチ  ５４・・移動用ハンドル  ５５・・鋸刃カバー  ７１・・第一部材
７１Ａ・・第一当接部  ７２・・第二部材  Ｗ・・木材
【図１】
0004692827.tif 000002
【図２】
0004692827.tif 000003
【図３】
0004692827.tif 000004
【図４】
0004692827.tif 000005
【図５】
0004692827.tif 000006
【図６】
0004692827.tif 000007
【図７】
0004692827.tif 000008
【図８】
0004692827.tif 000009
【図９】
0004692827.tif 000010
【図１０】
0004692827.tif 000011
【図１１】
0004692827.tif 000012